(57)【要約】【課題】ウェブ基盤注文デザイン３Ｄプリンティングサービスシステムに関し、３Ｄプリンティングを活用したウェブ基盤注文型デザイン及び開発販売プラットホームを提供すること。【解決手段】本発明は、３次元スキャニングプログラムが備えられ、映像データを取得して、前記３次元スキャニングプログラムの実行によって３次元モデリングファイルを生成するユーザ端末と、３次元プリンティングサービス提供のための３次元プリンタモデル著作プログラムを備えるウェブサイトを提供し、前記ウェブサイトに接続されたユーザ端末によって入力される３次元モデリングファイルに基づいて前記３次元プリンタモデル著作プログラムによって生成された３次元コンテンツを共有するためのプラットホームサービスを提供するクラウドサーバとを備えるウェブ基盤注文デザイン３Ｄプリンティングサービスシステムを開示する。【選択図】図１
2017146972.tif 000002
【特許請求の範囲】
【請求項１】
撮影手段と３次元スキャニングプログラムが備えられ、前記撮影手段によって撮影された映像データを前記３次元スキャニングプログラムの実行によって３次元モデリングファイルに生成するユーザ端末と、
３次元プリンティングサービス提供のための３次元プリンタモデル著作プログラムを備えるウェブサイトを提供し、前記ウェブサイトに接続されたユーザ端末によって入力される３次元モデリングファイルに基づいて、前記３次元プリンタモデル著作プログラムによって生成された３次元コンテンツを共有するためのプラットホームサービスを提供するクラウドサーバと、
を備えることを特徴とするウェブ基盤注文デザイン３Ｄプリンティングサービスシステム。
【請求項２】
前記クラウドサーバにネットワーキングされたプリンタモジュールと配送モジュールとをさらに備え、
前記プリンタモジュールは、３次元コンテンツの３次元プリンティング作業を行い、
前記配送モジュールは、前記プリンタモジュールによって行われた結果物を前記３次元プリンティングサービスを要請するユーザに配送することができることを特徴とする請求項１に記載のウェブ基盤注文デザイン３Ｄプリンティングサービスシステム。
【請求項３】
前記ユーザ端末は、前記撮影された映像データをパラメトリック（ｐａｒａｍｅｔｒｉｃ）または予め生成された３次元コンテンツに対するデータベースを基盤として３次元スキャニングして３次元プリンティングが可能な３次元モデリングファイルを生成し、前記生成されたモデリングファイルを編集及び加工して前記３次元スキャニングプログラムのビューア機能を介して提供することを特徴とする請求項１に記載のウェブ基盤注文デザイン３Ｄプリンティングサービスシステム。
【請求項４】
前記ユーザ端末は、
前記映像データから２次元モデルを作った後、３次元キャドフォーマットのモデリングファイルを作るための第１のモデリングファイル生成部と、
前記映像データをＣＧ（ｃｏｍｐｕｔｅｒ  ｇｒａｐｈｉｃ）ファイルフォーマットでスキャニングしてモデリングファイルを作るための第２のモデリングファイル生成部と、
前記共有されたモデリングファイルに対する変形及び併合編集を行うためのモデリングファイル編集部と、
前記第１のモデリングファイル生成部、前記第２のモデリングファイル生成部、及び前記モデリングファイル編集部のうち、少なくとも１つを介して生成されたモデリングファイルに対する３次元データ出力情報を抽出してエラーを検出し、自動で補正して提供するためのデータ検証補正部と、
を備えることを特徴とする請求項１に記載のウェブ基盤注文デザイン３Ｄプリンティングサービスシステム。
【請求項５】
前記ユーザ端末は、
ユーザによって直接スケッチされたデザイン情報を映像データで提供するか、外部プラットホームから購入された３次元コンテンツを映像データで提供することができることを特徴とする請求項１に記載のウェブ基盤注文デザイン３Ｄプリンティングサービスシステム。
【請求項６】
前記クラウドサーバは、
前記３次元プリンティングサービスを要請するユーザの会員加入を行う会員加入部と、
前記第１のモデリングファイル生成部、前記第２のモデリングファイル生成部、及び前記モデリングファイル編集部のうち、少なくとも１つを介して生成されるモデリングファイルのデータをインポートして３次元プリンタが認識可能なＧ−ｃｏｄｅに変換するためのスライシング部と、
前記３次元スキャニングプログラムと前記生成された少なくとも１つ以上の３次元コンテンツを検索するためのコンテンツ検索部と、
複数の３次元コンテンツが格納されたデータベースを含む仮想データウェアハウスと、
前記３次元スキャニングプログラムと前記生成された３次元コンテンツに対するユーザ相互間の依頼、取引、及び販売に対する仲介を行うクラウドサービス部と、
を備えることを特徴とする請求項１に記載のウェブ基盤注文デザイン３Ｄプリンティングサービスシステム。
【発明の詳細な説明】
【技術分野】
【０００１】
本発明は、ウェブ基盤注文デザイン３Ｄプリンティングサービスシステムに関し、より詳細には、注文者が望むデザインに対する３次元プリンティングサービスをウェブ基盤にて提供され、ユーザ間３次元コンテンツを共有するか、相互取引を支援できるウェブ基盤注文デザイン３Ｄプリンティングサービスシステムに関する。
【背景技術】
【０００２】
３Ｄプリンティングは、プラスチック液体のような原料を射出して、いわゆる３Ｄプリンタを介して立体形状の固体物質を自由に写し出す技術であって、物体情報を３Ｄグラフィック設計プログラムを介して作り出した後、３Ｄプリンタを介して粉、液体、糸の形態の原料を射出し、物体の形状のとおりに薄い層を無数に繰り返して積み重ねて作る技術である。
【０００３】
このような３Ｄプリンティング技術は、金型によって製造する場合より費用が画期的に安いだけでなく、複雑なデザイン製品も容易に製作できるなどの長所に応じて、実に様々な産業分野に応用されるか、新規事業を派生する水準を揃えている。
【０００４】
例えば、作られた製品を売るのではなく、製品の３Ｄ模型データファイルを取引したり、３Ｄプリンタを複数台揃えておき、個人や小規模企業の注文を受ける事業が出現するなど、新しい形態の事業とビジネスモデルが登場している。
【０００５】
これにより、立体的に作られた製品に対する取引でなく、このような立体製品を３Ｄプリンタで製作できるコンテンツ、すなわち、特定立体物を３Ｄプリンタに入力して製作できるソースに対する取引プラットホームの開発が必要な実情である。
【先行技術文献】
【特許文献】
【０００６】
【特許文献１】韓国公開特許第１０−２０１５−０１２９９６７号公報
【発明の概要】
【発明が解決しようとする課題】
【０００７】
本発明は、３Ｄプリンティングを活用したウェブ基盤注文型デザイン及び開発販売プラットホームを提供するウェブ基盤注文デザイン３Ｄプリンティングサービスシステムを提供することにその目的がある。
【０００８】
本発明の解決課題は、以上で言及したものなどに限定されず、言及されていない他の解決課題は、下記の記載から当業者に明確に理解され得るであろう。
【課題を解決するための手段】
【０００９】
上記の本発明の目的及び他の特徴を達成するための本発明の一観点によれば、ウェブ基盤注文デザイン３Ｄプリンティングサービスシステムは、３次元スキャニングプログラムが備えられ、映像データを取得して、前記３次元スキャニングプログラムの実行によって３次元モデリングファイルに生成するユーザ端末と、３次元プリンティングサービス提供のための３次元プリンタモデル著作プログラムを備えるウェブサイトを提供し、前記ウェブサイトに接続されたユーザ端末によって入力される３次元モデリングファイルに基づいて、前記３次元プリンタモデル著作プログラムによって生成された３次元コンテンツを共有するためのプラットホームサービスを提供するクラウドサーバとを備えることができる。
【００１０】
前記クラウドサーバにネットワーキングされたプリンタモジュールと配送モジュールとをさらに備え、前記プリンタモジュールは、３次元コンテンツの３次元プリンティング作業を行い、前記配送モジュールは、前記プリンタモジュールによって行われた結果物を前記３次元プリンティングサービスを要請するユーザに配送することができる。
【００１１】
前記ユーザ端末は、取得された前記映像データをパラメトリック（ｐａｒａｍｅｔｒｉｃ）または予め生成された３次元コンテンツに対するデータベースを基盤として３次元スキャニングして３次元プリンティングが可能な３次元モデリングファイルを生成し、前記生成されたモデリングファイルを編集及び加工して前記３次元スキャニングプログラムのビューア機能を介して提供することができる。
【００１２】
前記ユーザ端末は、前記映像データから２次元モデルを作った後、３次元キャドフォーマットのモデリングファイルを作るための第１のモデリングファイル生成部と、前記映像データをＣＧ（ｃｏｍｐｕｔｅｒ  ｇｒａｐｈｉｃ）ファイルフォーマットでスキャニングしてモデリングファイルを作るための第２のモデリングファイル生成部と、前記共有されたモデリングファイルに対する変形及び併合編集を行うためのモデリングファイル編集部と、前記第１のモデリングファイル生成部、前記第２のモデリングファイル生成部、及び前記モデリングファイル編集部のうち、少なくとも１つを介して生成されたモデリングファイルに対する３次元データ出力情報を抽出してエラーを検出し、自動で補正して提供するためのデータ検証補正部とを備えることができる。
【００１３】
前記ユーザ端末は、ユーザによって直接スケッチされたデザイン情報を映像データで提供するか、外部プラットホームから購入された３次元コンテンツを映像データで提供することができる。
【００１４】
前記クラウドサーバは、前記３次元プリンティングサービスを要請するユーザの会員加入を行う会員加入部と、前記第１のモデリングファイル生成部、前記第２のモデリングファイル生成部、及び前記モデリングファイル編集部のうち、少なくとも１つを介して生成されるモデリングファイルのデータをインポートして３次元プリンタが認識可能なＧ−ｃｏｄｅに変換するためのスライシング部と、前記３次元スキャニングプログラムと前記生成された少なくとも１つ以上の３次元コンテンツを検索するためのコンテンツ検索部と、複数の３次元コンテンツが格納されたデータベースを含む仮想データウェアハウスと、前記３次元スキャニングプログラムと前記生成された３次元コンテンツに対するユーザ相互間の依頼、取引、及び販売に対する仲介を行うクラウドサービス部とを備えることができる。
【発明の効果】
【００１５】
本発明に係るウェブ基盤注文デザイン３Ｄプリンティングサービスシステムは、注文者が望むデザインに対する３次元プリンティングサービスをウェブ基盤にて提供され、ユーザ間３次元コンテンツを共有したり、相互取引を支援できる。
【００１６】
また、本発明の一実施形態は、いつでも、どこでも、誰でも容易に様々な３次元コンテンツのための３次元モデルを生成、著作、編集、及び出力するように導くことができる。
【００１７】
本発明の効果は、以上で言及されたものなどに限定されず、言及されていない他の解決課題は、下記の記載から当業者に明確に理解され得るであろう。
【図面の簡単な説明】
【００１８】
【図１】本発明の一実施形態に係るウェブ基盤注文デザイン３Ｄプリンティングサービスシステムを概略的に示す図である。
【図２】図１のウェブ基盤注文デザイン３Ｄプリンティングサービスシステムに対するブロック構成図である。
【図３】本発明の一実施形態に係る３次元プリンティング製作及び販売サービスのフローを示す図である。
【図４】本発明の一実施形態に係る３次元プリンティング製作及び販売サービスのための構成を示す図である。
【発明を実施するための形態】
【００１９】
本発明の追加的な目的、特徴、及び長所は、次の詳細な説明及び添付図面からより明瞭に理解されることができる。
【００２０】
本発明の詳細な説明に先立ち、本発明は、様々な変更を図ることができ、種々の実施形態を有することができるところ、下記において説明され、図面に示された例示は、本発明を特定の実施形態に対して限定しようとするものではなく、本発明の思想及び技術範囲に含まれるあらゆる変更、均等物ないし代替物を含むことと理解されなければならない。
【００２１】
ある構成要素が他の構成要素に「連結されて」いるとか、「接続されて」いると言及されたときには、その他の構成要素に直接的に連結されているか、または接続されていることもできるが、中間に他の構成要素が存在することもできると理解されるべきであろう。それに対し、ある構成要素が他の構成要素に「直接連結されて」いるとか、「直接接続されて」いると言及されたときには、中間に他の構成要素が存在しないことと理解されるべきであろう。
【００２２】
本明細書において使用した用語は、単に特定の実施形態を説明するために使用されたものであって、本発明を限定しようとする意図ではない。単数の表現は、文脈上、明白に異なるように意味しない限り、複数の表現を含む。本明細書において、「含む」または「有する」などの用語は、明細書上に記載された特徴、数字、段階、動作、構成要素、部品、またはこれらを組み合わせたものが存在することを指定しようとするものであり、１つまたはそれ以上の他の特徴や数字、段階、動作、構成要素、部品、またはこれらを組み合わせたものなどの存在若しくは付加可能性を予め排除しないことと理解されなければならない。
【００２３】
また、明細書に記載された「．．．部」、「．．．ユニット」、「．．．モジュール」などの用語は、少なくとも１つの機能や動作を処理する単位を意味し、これは、ハードウェアやソフトウェア、またはハードウェア及びソフトウェアの組み合わせで実現されることができる。
【００２４】
また、添付図面を参照して説明するにあって、図面符号に関係なく、同じ構成要素は同じ参照符号を付与し、これに対する重複する説明を省略する。本発明を説明するにあって、関連した公知技術に対する具体的な説明が本発明の要旨を不要に濁す恐れがあると判断される場合、その詳細な説明を省略する。
【００２５】
図１は、本発明の一実施形態に係るウェブ基盤注文デザイン３Ｄプリンティングサービスシステムを概略的に示す図であり、図２は、図１のウェブ基盤注文デザイン３Ｄプリンティングサービスシステムに対するブロック構成図である。
【００２６】
図１及び図２に示すように、本発明の実施形態に係るウェブ基盤注文デザイン３Ｄプリンティングサービスシステム１０は、ユーザ端末１１、クラウドサーバ１２、プリンタモジュール１３、及び配送モジュール１４を備える。
【００２７】
前記ユーザ端末１１は、スマートフォンやタブレットＰＣのようなカメラが搭載されたモバイル機器やノートブック、デスクトップＰＣなどのようなコンピュータ機器であって、カメラを用いた映像撮影が可能であり、映像データを取得し、取得した映像データから３次元スキャニングプログラムの実行によって３次元モデリングファイルを生成し、その生成結果に対するビューア機能をオンライン上のリアルタイムフィードバックを介して各々提供され、生成された３次元スキャニングモデルに対するオンライン注文を要請するための３次元スキャニングプログラムが設置され得る。
【００２８】
前記ユーザ端末１１は、撮影された映像データをパラメトリック（ｐａｒａｍｅｔｒｉｃ）または予め生成された３次元コンテンツに対するデータベースを基盤として３次元スキャニングして３次元プリンティングが可能な３次元モデリングファイルを生成し、前記生成されたモデリングファイルを編集及び加工して３次元スキャニングプログラムのビューア機能を介してユーザに提供することができる。
【００２９】
前記ユーザ端末１１は、ユーザによって直接スケッチされたデザイン情報を映像データで提供するか、外部プラットホームから購入された３次元コンテンツを映像データで提供することができる。
【００３０】
前記３次元スキャニングプログラムは、ＮＵＩ／ＮＵＸ基盤のモバイルキャド（ＣＡＤ）を支援し、クラウドサーバ１２からプラットホームサービスを支援されて３次元プリンティングコンテンツを生成、著作、編集、出力することができる応用ソフトウェアであり、アップストアや各種プログラム提供ウェブサイトなどでユーザ端末にダウンロードされて設置されることができる。
【００３１】
図示されてはいないが、このような３次元スキャニングプログラムは、ログイン処理部、映像撮影部、３次元コンテンツ生成／ビューア部、及び注文要請部などを備えることができる。
【００３２】
前記ログイン処理部は、本実施形態に係る注文デザイン３Ｄプリンティングサービスを提供され得る会員認証のための手段であって、ユーザのアイディとパスワードを入力されることができ、クラウドサーバに会員認証を要請し、認証結果に応じて３次元スキャニングプログラムを使用して注文デザイン３Ｄプリンティングサービスを提供され得るようになる。
【００３３】
前記映像撮影部は、ユーザ端末１１のカメラと連動されて、３次元スキャニングモデルに生成しようとする客体（人、事物等）に対する映像を撮影し、撮影された映像データを格納することができる。このような映像撮影部は、ＰＣ基盤の商用スキャナ水準の解像度及び精密度を有するように構成されることができる。
【００３４】
前記３次元コンテンツ生成／ビューア部は、取得された映像データから３次元スキャニングモデルを生成する機能及びその生成結果に対するビューア機能をオンライン上のリアルタイムフィードバックを介して各々提供されることができる。前記３次元コンテンツ生成／ビューア部は、クラウドサーバから提供されるプラットホームサービスに基づいて実行及び動作するので、その構成と機能に対するより詳細な説明は、クラウドサーバ１２についての説明で後述する。
【００３５】
前記注文要請部は、３次元スキャニングプログラムとクラウドサーバ１２を介して生成された３次元コンテンツに対しての３次元プリンティング注文要請に対するプロセスを処理できる。例えば、前記注文要請部は、３次元プリンティング作業の数量、配送先設定、決済などに対するプロセスを処理できる。
また、本発明において前記注文要請部は、依頼人が選択できるオプション事項情報とこれによるオプション見積を含んで３次元コンテンツに対する３次元プリンティング注文要請に進むように構成されることができる。
【００３６】
ここで、前記オプション事項情報は、３Ｄモデルのサイズ、材質を含む基本オプション事項情報、及び色相、ヘアースタイル、ファッションスタイル、姿勢や形態を含む付加オプション事項情報を含むことができる。
【００３７】
このような３次元スキャニングプログラムは、ウェブ上で３次元スキャニングサービスを提供するためのものであって、ユーザ端末１１の映像だけで３次元モデル生成、時間フィードバックのオンラインスキャニング、３次元スキャニングディバイスにモバイル映像連動、ＰＣ基盤の商用スキャナ水準解像度／精密度確保、パラメトリック及びデータベース基盤３次元スキャニングモデル補正など、様々な機能を提供できる。
【００３８】
前記ユーザ端末１１は、図２に示されたように、自動接続部１１１、プログラム実行部１１２、第１のモデリングファイル生成部１１３、第２のモデリングファイル生成部１１４、モデリングファイル編集部１１５、及びデータ検証補正部１１６を備える。一方、本実施形態では、第１のモデリングファイル生成部１１３、第２のモデリングファイル生成部１１４、モデリングファイル編集部１１５、及びデータ検証補正部１１６をユーザ端末１１の構成要素として分類しているが、これらの構成要素は、３次元スキャニングサービスを提供されるために、クラウドサーバ１２で提供するウェブサイト上で実現される機能を区分したものであるから、後述するクラウドサーバ１２の構成要素として分類されることもできる。
【００３９】
前記自動接続部１１１は、３次元スキャニングプログラムの実行によって本３次元プリンティングサービスを提供するクラウドサーバ１２に自動で接続する。
【００４０】
前記プログラム実行部１１２は、自動接続部１１１を介してのクラウドサーバ１２への接続のために、３次元スキャニングプログラムを実行する。
【００４１】
前記第１のモデリングファイル生成部１１３は、ユーザ端末１１の３次元スキャニングプログラムを介してアップロードされた映像データから３次元キャドフォーマットのモデリングファイルを作ることができる。さらに具体的に、前記３次元スキャニングプログラムの映像撮影部を介して確保された映像データは、オンラインを介してクラウドサーバ１２にアップロードされ、アップロードされた映像データは、２次元のデザインモデル（スケッチファイル）に生成した後、３次元キャドフォーマットのモデリングファイル（ＳＴＬ、ＯＢＪ、ＷＲＬ、ＰＬＹ、３ＤＳ）に生成されることができる。
【００４２】
前記第２のモデリングファイル生成部１１４は、特定客体（人、事物等）に対するアイテムをユーザ端末１１の３次元スキャニングプログラムを介してＣＧ（ｃｏｍｐｕｔｅｒ  ｇｒａｐｈｉｃ）ファイルフォーマットでスキャンした後、３次元キャドフォーマットのモデリングファイル（ＳＴＬ、ＯＢＪ、ＷＲＬ、ＰＬＹ、３ＤＳ）に生成することができる。
【００４３】
ここで、本発明は、公知となった原作の全体ストーリ、一部分のストーリ、過去や未来の加工ストーリ、及び公知となった原作の２つ以上のストーリの組合わせられた加工ストーリから加工された新しいキャラクタの２Ｄイメージや、依頼写真と芸能人を合成した２Ｄイメージに生成した後、３次元キャドフォーマットのモデリングファイル（ＳＴＬ、ＯＢＪ、ＷＲＬ、ＰＬＹ、３ＤＳ）に生成され得る第３のモデリングファイル生成部をさらに備えることができる。
【００４４】
このように、前記第１のモデリングファイル生成部１１３は、映像データを用いて２次元のスケッチファイルを作った後、３次元のキャドフォーマットのモデリングファイルを作る機能を提供でき、第２のモデリングファイル生成部１１４は、現存する物体をユーザ端末１１を介してＣＧファイルフォーマットにスキャンし、３次元のキャドフォーマットのモデリングファイル（ＳＴＬ、ＯＢＪ、ＷＲＬ、ＰＬＹ、３ＤＳ）を作る機能を提供できる。
【００４５】
前記モデリングファイル編集部１１５は、クラウドサーバ１２を介して共有または購買されたモデリングファイル（ＳＴＬ、ＯＢＪ、ＷＲＬ、ＰＬＹ、３ＤＳ）に対する変形及び／又は併合編集機能を提供できる。さらに具体的に、前記第１及び第２のモデリングファイル生成部１１３、１１４を介して現在ユーザが生成したモデリングファイル（ＳＴＬ、ＯＢＪ、ＷＲＬ、ＰＬＹ、３ＤＳ）でなく、他のユーザにより生成された３次元コンテンツを含むモデリングファイルを変形したり、併合する編集機能を提供できる。ここで、他のユーザにより生成されたモデリングファイル（ＳＴＬ、ＯＢＪ、ＷＲＬ、ＰＬＹ、３ＤＳ）は、クラウドサーバ１２を介して共有または販売による購入を介して得ることができる。また、他のユーザにより生成されたモデリングファイル（ＳＴＬ、ＯＢＪ、ＷＲＬ、ＰＬＹ、３ＤＳ）は、クラウドサーバ１２で提供するオンラインプラットホームを介してのクラウドサービスを利用して購入することができる。
【００４６】
前記データ検証補正部１１６は、第１のモデリングファイル生成部１１３、第２のモデリングファイル生成部１１４、またはモデリングファイル編集部１１５を介して生成されたモデリングファイル（ＳＴＬ、ＯＢＪ、ＷＲＬ、ＰＬＹ、３ＤＳ）の３次元データに関する出力情報を抽出し、３次元データに対する構造的エラーを検出して自動で補正し、ウェブ基盤の３次元出力に最適化されるかに対する検証及び保証機能を提供することにより、出力可能性を確保できるようにする。
【００４７】
前記クラウドサーバ１２は、ユーザ端末１１とオンラインを介して接続されて、３次元スキャニングプログラムの実行機能を提供し、３次元スキャニングプログラムを介して生成された３次元コンテンツに対する共有及び販売のためのクラウドプラットホームサービスを提供できる。すなわち、前記クラウドサーバ１２は、３次元プリンティングサービス提供のための３次元プリンタモデル著作プログラムを備えるウェブサイトを提供し、ウェブサイトに接続されたユーザ端末によって入力される３次元モデリングファイルに基づいて３次元プリンタモデル著作プログラムによって生成された３次元コンテンツを共有するためのプラットホームサービスを提供できる。
【００４８】
一方、前記クラウドサーバ１２は、ユーザ端末１１から入力された会員のログイン情報と個人情報が格納されており、ユーザ端末１１を介して入力されたアイディとパスワードを確認してユーザ端末１１に会員認証結果を提供することができる。前記個人情報は、会員の名前、連絡先、住所（配送先）などを含むことができる。
【００４９】
このために、前記クラウドサーバ１２は、会員加入部１２１、情報提供部１２２、スライシング部１２３、コンテンツ検索部１２４、仮想データウェアハウス１２５、及びクラウドサービス部１２６を備える。
【００５０】
前記会員加入部１２１は、本３次元プリンティングサービスを提供されようとするユーザ（例えば、一般人、企業、作家等）から入力された個人情報または会社情報を介して会員として登録したり、アイディとパスワードを介して会員であることを認証できる。
【００５１】
前記情報提供部１２２は、３次元プリンティングサービス提供のための３次元プリンタモデル著作プログラムや各種３次元プリンタモデル情報などをウェブサイトを介してユーザに提供することができる。
【００５２】
前記スライシング部１２３は、第１のモデリングファイル生成部１１３、第２のモデリングファイル生成部１１４、及びモデリングファイル編集部１１５のうち、少なくとも１つを介して生成されるモデリングファイル（ＳＴＬ、ＯＢＪ、ＷＲＬ、ＰＬＹ、３ＤＳ）の３次元データをインポートして３次元プリンタが認識可能なＧ−ｃｏｄｅに変換する機能を提供できる。ここで、前記スライシング部１２３は、３次元のモデルをプリンティングするために、原料（または、材料）を積み重ねるための経路、速度、圧出量などを計算してＧ−ｃｏｄｅを作ることができる。
【００５３】
前記コンテンツ検索部１２４は、少なくとも１つ以上のユーザ端末１１とクラウドサーバ１２を介して生成または編集及び加工された３次元コンテンツを他のユーザと共有するためのサービス機能を提供できる。また、前記コンテンツ検索部１２４は、少なくとも１つ以上の３次元コンテンツに対する検索機能を提供できる。ここで、３次元コンテンツは、様々なユーザのユーザ端末１１とクラウドサーバ１２を介して生成されたデータでありうる。
【００５４】
例えば、任意のユーザが３次元スキャニングプログラムの実行を介して「スーパーマン」というキーワードを入力して検索する場合、当該キーワードと関連した３次元コンテンツに関する情報を仮想データウェアハウス１２５から抽出してユーザ端末１１を介して提供することができる。
【００５５】
前記仮想データウェアハウス１２５は、コンテンツ検索部１２４の検索を介して提供される複数の３次元コンテンツが格納されているデータベースを備えることができる。前記仮想データウェアハウス１２５は、多数のユーザが直接作った様々なカテゴリーの３次元コンテンツを他のユーザ達と共有するように格納することができる。
【００５６】
前記クラウドサービス部１２６は、３次元コンテンツに対するユーザ相互間の依頼、取引、及び販売に対する仲介を行うことができる。ここで、３次元コンテンツは、様々なユーザのユーザ端末１１とクラウドサーバ１２を介して生成されたデータでありうる。
【００５７】
例えば、ユーザＡがユーザＢに特定キャラクタの３次元コンテンツを製作することを依頼でき、これとは逆に、ユーザＢがユーザＡに製作依頼を要請できる。このように、前記クラウドサービス部１２６は、ユーザＡとＢとの間にコンテンツ製作に対する依頼要請のための仲介役割を行うのに必要な機能を提供できる。ここで、ユーザＡとＢとは個人でありうるし、コンテンツ製作関連の専門家または専門会社を意味できる。
【００５８】
また、ユーザＡがクラウドサーバ１２に載せた特定３次元キャラクタをユーザＢが購買しようとする場合、これと関連した取引及び販売に対する仲介役割を行うのに必要な機能を提供できる。
【００５９】
一方、ユーザＡまたはＢがクラウドサーバ１２に載せた特定３次元コンテンツを検索して購買したり、ユーザＡがＢに、またはＢがＡにコンテンツ製作要請をして購買する場合、それぞれのユーザは、クラウドサービス部１２６を利用できる。
【００６０】
このようなクラウドサーバ１２は、大きくは、著作／編集技術、検証補正機能、標準化、応用サービスを提供できる。
【００６１】
前記著作／編集技術は、ウェブ著作及びサービス、検索／併合／変形編集技術、ウェブキャド機能を提供できる。
【００６２】
前記ウェブ著作及びサービスは、ウェブ３次元プリンタモデル著作／ビューアソフトウェア（プリミティブ（Ｐｒｉｍｉｔｉｖｅ）及びスカルプト（Ｓｃｕｌｐｔｉｎｇ）方式の著作機能、著作３次元モデルのメッシュ分割及び併合機能、及びＮＵＩ／ＮＵＸ（ｈａｐｔｉｃ、ｔｏｕｃｈ、ｔａｎｇｉｂｌｅ）基盤著作機能）を提供し、ＳａａＳサービスプラットホーム連動サービス（著作３Ｄプリンティングコンテンツクラウドアーカイビング（ａｒｃｈｉｖｉｎｇ）機能（登録／格納／検索等））を提供できる。
【００６３】
前記検索／併合／変形編集技術は、ウェブ３次元プリンタモデル検索機能、ウェブ３次元プリンタモデル併合機能、ウェブ３次元プリンタモデル変形機能を提供できる。ここで、ウェブ３次元プリンタモデル検索機能は、３次元モデル照会要請（Ｑｕｅｒｙ）機能と３次元モデルリアルタイム検索及び検索結果表示機能を含むことができ、ウェブ３次元プリンタモデル併合機能は、３次元モデル配置及び併合機能と併合された３Ｄプリンタモデルの再分離（ＵＮＤＯ）機能を含むことができ、ウェブ３次元プリンタモデル変形機能は、ウェブＳｉｍｐｌｅ  ＧＵＩ基盤モデル変形機能を含むことができる。
【００６４】
前記ウェブキャド機能は、媒介変数情報がないソリッドモデルの直接編集機能、媒介変数基盤３次元キャドモデルライブラリ生成機能、スマートＮＵＩ／ＮＵＸを介しての直観的ＣＡＤモデル編集機能、及びキャドライブラリクラウド連動機能を含むことができる。
【００６５】
前記検証補正技術は、３次元出力データに対する検証及び補正のための技術であって、ウェブ基盤３次元データ出力情報抽出機能、ウェブ基盤３次元データ出力可能性確保機能、ウェブ基盤３次元出力最適化検証補正機能を提供できる。
【００６６】
前記ウェブ基盤３次元データ出力情報抽出機能は、ウェブ基盤出力空間３次元データ配置機能とウェブ基盤３Ｄデータ配置による出力情報プリビュー機能を含むことができる。前記ウェブ基盤３次元データ出力可能性確保機能は、３次元データ構造的エラー検証補正機能とウェブ基盤ユーザ親和的な３次元出力データ構造的エラー検証補正ＮＵＩ機能を提供できる。前記ウェブ基盤３次元出力最適化検証補正機能は、積層方向最適化機能と多個体同時出力のための配置最適化機能を含むことができる。
【００６７】
前記標準化機能は、３次元モデルデータの標準／圧縮に関するものであって、カラー及び材質を支援するスライスファイルフォーマットを提供し、ＭＰＥＧ−Ｖ標準を利用したユーザ特性及びプリンタ性能に最適化された材質選択機能を提供し、ＳａａＳ及びＰａａＳ基盤のクラウド３次元プリンタと連係されることができる。
【００６８】
前記クラウドサーバ１２は、仮想ウェアハウス、クラウドサービスプラットホーム、及び応用ソフトウェア連動ＳａａＳ技術を提供できる。
【００６９】
前記仮想ウェアハウスは、クラウド基盤にて構築されて、トランザクション処理量、クエリ応答時間がウェブに最適化され、多次元分析環境（ＭＯＡＬＡＰ）を構成し、３次元モデル／オープンソース共有ダッシュボード機能とクラウド基盤で連動可能なインターフェースを提供できる。
【００７０】
前記クラウドサービスプラットホームは、コンテンツ管理（圧縮／登録／格納管理／Ｃｕｒａｔｉｏｎ）機能、コンテンツ中継及びプリンティングＰｒｉｃｉｎｇ機能、材質別、色相別のビリング（ｂｉｌｌｉｎｇ）機能、様々な会員階層収容可能顧客管理機能、及び様々な種類のペイメント及び配送機能を提供できる。前記応用ソフトウェア連動ＳａａＳ技術は、クラウドプラットホームと連動してモバイルアップ連動（ＳａａＳ）、ＡＰＩツール設定（ＰａａＳ）機能を各々提供できる。
【００７１】
一方、本実施形態では、ウェブ基盤の３次元スキャニングのためのユーザ教育プログラムを提供できる。
【００７２】
前記ユーザ教育プログラムは、ユーザ要求事項調査分析（教育プログラム運営を介してユーザ要求事項分析、開発技術の修正補完とサービス体系用意）、教育プログラム開発（教育対象別（小・中・高・大学・一般人）基礎及び活用過程、既存のソリューション及び開発したウェブソリューションを活用した３Ｄプリンティングコンテンツ製作教育、及び３次元プリンティング出力技術及び応用サービス、機能中心でない、創意力向上に焦点を置いた教育過程開発）、教材開発（対象応用分野別教育カリキュラム開発）及び３次元プリンティングインフラと連係した３Ｄプリンティング体験過程及びＴｅｃｈ  Ｃａｆｅを運営するのに活用されることができる。
【００７３】
前記プリンタモジュール１３は、クラウドサーバ１２を介して生成された３次元コンテンツの３次元プリンティング作業を行い、行われた結果物に対してユーザ端末１１を介しての注文要請による配送関連業務を処理できる。
【００７４】
このために、前記プリンタモジュール１３は、先に、クラウドサーバ１２を介して生成された３次元コンテンツに対する注文要請を受付け、要請情報とともに要請したユーザに対する個人情報を受けて登録することができる。ここで、前記要請情報は、３次元コンテンツプリンティング結果物の数量や材質、色相などのような情報を含むことができ、前記個人情報は、ユーザ身元確認のための情報と連絡先及び配送先情報などを含むことができる。また、前記プリンタモジュール１３は、３次元プリンタが認識可能なＧ−ｃｏｄｅに変換された３次元グラフィックファイルのデータによって液体、パウダー、金属などの材料（ユーザが選択した材料であってもよい）を積層加工（Ａｄｄｉｔｉｖｅ  Ｍａｎｕｆａｃｔｕｒｉｎｇ）して特定物体を生成し、このときに生成された物体を電解除去または精密加工したり、色を付けてユーザが注文要請した３次元コンテンツ結果物を完成できる。
【００７５】
前記配送モジュール１４は、プリンタモジュール１３を介して受けた配送先情報に応じて当該ユーザに完成された３次元コンテンツ結果物を配送できるように処理することができる。
【００７６】
図３は、本発明の一実施形態に係る３次元プリンティング製作及び販売サービスのフローを示す図である。
【００７７】
図３に示されたように、アイディアスケッチを介しての創意的デザインが導き出されると、これを３次元キャドフォーマットで３次元モデリングを行った後、ＳＴＬ、ＯＢＪ、ＷＲＬ、ＰＬＹ、３ＤＳフォーマットに変換したり、ユーザが選定したアイテムをＣＧ（ｃｏｍｐｕｔｅｒ  ｇｒａｐｈｉｃ）フォーマットで３次元スキャニングを行った後、ＳＴＬ、ＯＢＪ、ＷＲＬ、ＰＬＹ、３ＤＳフォーマットに変換したり、外部のクラウドプラットホームサービスを介して他のユーザが作って載せたＳＴＬ、ＯＢＪ、ＷＲＬ、ＰＬＹ、３ＤＳフォーマットの３次元コンテンツを購入し、Ｇ−ｃｏｄｅに変換するスライシング処理を行うことができる。
【００７８】
その後、Ｇ−ｃｏｄｅに変換されたファイルの３次元データによって３次元プリンティング加工を進み、後加工を経て、注文要請したユーザに配送して伝達することができる。
【００７９】
図４には、本発明の実施形態に係る３次元プリンティング製作及び販売サービスに対する構成図が図示されている。
【００８０】
図４に示されたように、多数のユーザがクラウドサービスプラットホームを介してモバイル上でいつでも、どこでも、誰でも容易に様々な３次元スキャニングモデルを生成、著作、編集、及び出力でき、仮想ウェアハウス（ｖｉｒｔｕａｌ  ｗａｒｅｈｏｕｓｅ）に格納された様々な３次元コンテンツの共有または販売を介してユーザ間３次元コンテンツの相互取引を支援することにより、様々なコンテンツをさらに容易に得ることができる。
【００８１】
上記のように構成された本発明に係るウェブ基盤注文デザイン３Ｄプリンティングサービスシステムによれば、注文者が望むデザインに対する３次元プリンティングサービスをウェブ基盤にて提供され、ユーザ間３次元コンテンツを共有するか、相互取引を支援でき、また、いつでも、どこでも、誰でも容易に様々な３次元コンテンツのための３次元モデルを生成、著作、編集、及び出力するように導くことができる。
【００８２】
本明細書において説明される実施形態と添付された図面は、本発明に含まれる技術的思想の一部を例示的に説明することに過ぎない。したがって、本明細書に開示された実施形態は、本発明の技術的思想を限定するためのものではなく、説明するためのものであるから、このような実施形態によって本発明の技術思想の範囲が限定されるものではないことが自明である。本発明の明細書及び図面に含まれた技術的思想の範囲内で当業者が容易に類推できる変形例と具体的な実施形態は、全て本発明の権利範囲に含まれることと解釈されるべきであろう。
【符号の説明】
【００８３】
１０  ウェブ基盤注文デザイン３Ｄプリンティングサービスシステム
１１  ユーザ端末
１２  クラウドサーバ
１３  プリンタモジュール
１４  配送モジュール
１１１  自動接続部
１１２  プログラム実行部
１１３  第１のモデリングファイル生成部
１１４  第２のモデリングファイル生成部
１１５  モデリングファイル編集部
１１６  データ検証補正部
１２１  会員加入部
１２２  情報提供部
１２３  スライシング部
１２４  コンテンツ検索部
１２５  仮想データウェアハウス
１２６  クラウドサービス部
【図１】
2017146972.tif 000003
【図２】
2017146972.tif 000004
【図３】
2017146972.tif 000005
【図４】
2017146972.tif 000006